【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】
無線通信可能な複数の携帯型のゲーム装置を用いる無線通信ゲームシステムであって、
前記複数のゲーム装置の中には、親機と子機が存在し、
前記親機は、通信が途絶えた子機に対して親機への接続を許可する接続許可データを含む親機パケットを子機に送信する送信手段を備え、
前記子機は、
前記親機からの通信が途絶えたことを検出する通信断絶検出手段、および
前記通信断絶検出手段によって親機からの通信が途絶えたことが検出したときに、前記親機から送信される前記親機パケットの受信を試みる復帰手段を備える、無線通信ゲームシステム。
【請求項２】
前記親機は、前記子機からの通信が第１所定時間途絶えた場合に、その子機の接続許可データを削除する削除手段を含み、
前記子機の前記通信断絶検出手段は、親機からの通信が第２所定時間途絶えたことを検出するものであり、
前記第１所定時間は前記第２所定時間より長い、請求項１記載の無線通信ゲームシステム。
【請求項３】
前記親機と前記子機とは、前記親機によって使用される第１タイムスロットと前記子機によって使用される複数のサブタイムスロットを含む第２タイムスロットとによって構成される通信周期で通信されるものであり、
前記接続許可データは、前記複数のサブタイムスロットのうち前記子機が復帰すべきサブタイムスロットを指定する情報を含む、請求項１に記載の無線通信ゲームシステム。
【請求項４】
第１タイムスロットと複数のサブタイムスロットを含む第２タイムスロットとによって構成される通信周期で無線通信可能な複数の携帯ゲーム装置を用いる、無線通信ゲームシステムであって、
前記複数のゲーム装置の中には、親機と子機が存在し、
前記親機は、
前記第１タイムスロットで親機パケットをブロードキャストしかつ前記第２タイムスロットで子機パケットを受信する第１通信制御手段を備え、
前記子機は、
前記複数のサブタイムスロットのうち少なくとも１つのサブタイムスロットで前記子機パケットを送信し、前記第１タイムスロットで前記親機パケットを受信する第２通信制御手段、
前記親機からの通信が途絶えたことを検出する通信断絶検出手段、および
前記通信断絶検出手段によって親機からの通信が途絶えたことが検出したときに、前記親機からブロードキャストされる前記親機パケットの受信を試みる復帰手段を備える、無線通信ゲームシステム。
【請求項５】
第１タイムスロットと複数のサブタイムスロットを含む第２タイムスロットとによって構成される通信周期で無線通信可能な複数の携帯ゲーム装置を用いる、無線通信ゲームシステムであって、
前記複数のゲーム装置の中には、親機と子機が存在し、
前記親機は、前記第１タイムスロットで親機パケットを子機に送信しかつ前記第２タイムスロットで子機パケットを受信する第１通信制御手段を備え、
前記親機パケットは、接続を許可する子機の識別情報を含み、
前記子機は、
前記複数のサブタイムスロットのうち少なくとも１つのサブタイムスロットで前記子機パケットを送信し、前記第１タイムスロットで前記親機パケットを受信する第２通信制御手段、
前記親機からの通信が途絶えたことを検出する通信断絶検出手段、および
前記通信断絶検出手段によって親機からの通信が途絶えたことが検出したときに、前記親機から送信される前記親機パケットの受信を試みて、受信した親機パケットに自機の識別情報が含まれるときに、通信を再開する復帰手段を備える、無線通信ゲームシステム。
【請求項６】
請求項１に記載の親機によって実行されることにより、当該親機を、前記送信手段として機能させるためのプログラム。
【請求項７】
請求項１に記載の子機によって実行されることにより、当該子機を、前記通信断絶検出手段、および、前記復帰手段として機能させるためのプログラム。
【請求項８】
請求項４または５に記載の親機によって実行されることにより、当該親機を、前記第１通信制御手段として機能させるためのプログラム。
【請求項９】
請求項４または５に記載の子機によって実行されることにより、当該子機を、前記第２通信制御手段、通信断絶検出手段、および、前記復帰手段として機能させるためのプログラム。
【請求項１０】
請求項１に記載のゲーム装置を、自機が親機になるか子機になるかを決定する親子決定手段として機能させ、さらに、当該親子決定手段によって親機になると決定されたときに、前記送信手段として機能させ、当該親子決定手段によって子機になると決定されたときに、前記通信断絶検出手段、および、前記復帰手段として機能させる、プログラム。
【請求項１１】
請求項４または５に記載のゲーム装置を、自機が親機になるか子機になるかを決定する親子決定手段として機能させ、さらに、当該親子決定手段によって親機になると決定されたときに、前記第１通信制御手段として機能させ、当該親子決定手段によって子機になると決定されたときに、前記第２通信制御手段、通信断絶検出手段、および、前記復帰手段として機能させる、プログラム。
【請求項１２】
請求項６ないし１１のいずれかに記載のプログラムが記憶された情報記憶媒体。
【請求項１３】
請求項１、４、または５に記載の親機。
【請求項１４】
請求項１、４、または５に記載の子機。
【手続補正２】
【補正対象書類名】明細書
【補正対象項目名】発明の名称
【補正方法】変更
【補正の内容】
【発明の名称】無線通信ゲームシステム、ゲーム装置、情報記憶媒体、および、プログラム
【手続補正３】
【補正対象書類名】明細書
【補正対象項目名】０００１
【補正方法】変更
【補正の内容】
【０００１】
【産業上の利用分野】
この発明は、無線通信を利用するゲームシステム、ゲーム装置、情報記憶媒体、および、プログラムに関し、特にたとえば、親機と子機との間の通信が途絶えた後に子機を親機に復帰接続させることが可能な無線通信ゲームシステム、ゲーム装置、情報記憶媒体、および、プログラムに関する。
【手続補正４】
【補正対象書類名】明細書
【補正対象項目名】０００９
【補正方法】変更
【補正の内容】
【０００９】
【課題を解決するための手段】
請求項１の発明は、無線通信可能な複数の携帯型のゲーム装置を用いる無線通信ゲームシステムである。複数のゲーム装置の中には、親機と子機が存在する。親機は、通信が途絶えた子機に対して親機への接続を許可する接続許可データを含む親機パケットを子機に送信する送信手段を備える。子機は、親機からの通信が途絶えたことを検出する通信断絶検出手段、および、通信断絶検出手段によって親機からの通信が途絶えたことが検出したときに、親機から送信される親機パケットの受信を試みる復帰手段を備える。
【手続補正５】
【補正対象書類名】明細書
【補正対象項目名】００１０
【補正方法】変更
【補正の内容】
【００１０】
請求項４の発明は、第１タイムスロットと複数のサブタイムスロットを含む第２タイムスロットとによって構成される通信周期で無線通信可能な複数の携帯ゲーム装置を用いる、無線通信ゲームシステムである。複数のゲーム装置の中には、親機と子機が存在する。親機は、第１タイムスロットで親機パケットをブロードキャストしかつ第２タイムスロットで子機パケットを受信する第１通信制御手段を備える。子機は、複数のサブタイムスロットのうち少なくとも１つのサブタイムスロットで子機パケットを送信し、第１タイムスロットで親機パケットを受信する第２通信制御手段、親機からの通信が途絶えたことを検出する通信断絶検出手段、および、通信断絶検出手段によって親機からの通信が途絶えたことが検出したときに、親機からブロードキャストされる親機パケットの受信を試みる復帰手段を備える。
【手続補正６】
【補正対象書類名】明細書
【補正対象項目名】００１１
【補正方法】変更
【補正の内容】
【００１１】
請求項５の発明は、第１タイムスロットと複数のサブタイムスロットを含む第２タイムスロットとによって構成される通信周期で無線通信可能な複数の携帯ゲーム装置を用いる、無線通信ゲームシステムである。複数のゲーム装置の中には、親機と子機が存在する。親機は、第１タイムスロットで親機パケットを子機に送信しかつ第２タイムスロットで子機パケットを受信する第１通信制御手段を備える。親機パケットは、接続を許可する子機の識別情報を含む。子機は、複数のサブタイムスロットのうち少なくとも１つのサブタイムスロットで子機パケットを送信し、第１タイムスロットで親機パケットを受信する第２通信制御手段、親機からの通信が途絶えたことを検出する通信断絶検出手段、および、通信断絶検出手段によって親機からの通信が途絶えたことが検出したときに、親機から送信される親機パケットの受信を試みて、受信した親機パケットに自機の識別情報が含まれるときに、通信を再開する復帰手段を備える。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
無線通信ゲームシステムは、実施例では、少なくとも２台の携帯ゲーム装置（１０：実施例で相当する参照符号。以下同じ。）を用いて構成される。
【手続補正１３】
【補正対象書類名】明細書
【補正対象項目名】００１８
【補正方法】変更
【補正の内容】
【００１８】
親機の送信手段は、実施例でいえば図２２のステップＳ４１すなわち図２９に相当し、この送信手段が図１１で示すようなデータフィールドを有する親機パケットを送信する。
【手続補正１４】
【補正対象書類名】明細書
【補正対象項目名】００１９
【補正方法】変更
【補正の内容】
【００１９】
子機の通信断絶検出手段は実施例のステップＳ９５（図２４）に相当し、この通信断絶検出手段によって親機からの通信が途絶えたことが検出したときに、実施例でいえば図３３に相当する復帰手段は、図３３のステップＳ５００１で親機から送信される親機パケットの受信を試み、ステップＳ５０１３でその親機パケットに接続許可データが存在するかどうか判断する。つまり、接続許可データ、具体的には、親機パケットのＵスロットの自機の位置に自機の子機番号ＣＩＤが存在するとき、復帰成功である。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
【発明の効果】
この発明によれば、子機からの通信が途絶えた後に、親機が接続許可データを送信し続けるので、子機が通信可能な状態になったときに、親機との接続の復帰を簡単に行うことができる。